(57)【要約】【課題】ユーザーが撮影部位に対応した線量計測領域を把握でき、被写体の撮影部位と線量計測領域との位置合わせを容易に行うこと。【解決手段】被写体を透過した放射線に基づく放射線画像を生成する画素と放射線の線量を計測する画素とを有する撮影部と、計測された線量と閾値との比較により放射線の照射を制御する制御部と、を有する放射線撮影装置は、被写体の撮影部位情報に応じて線量の計測に使用する画素の線量計測領域を設定する領域設定部と、撮影部位情報に対応する線量計測領域を表示する領域表示部と、を備える。【選択図】  図１
2018050828.tif 000002
【特許請求の範囲】
【請求項１】
被写体を透過した放射線に基づく放射線画像を生成する画素と前記放射線の線量を計測する画素とを有する撮影部と、前記計測された線量と閾値との比較により前記放射線の照射を制御する制御手段と、を有する放射線撮影装置であって、
前記被写体の撮影部位情報に応じて前記線量の計測に使用する画素の線量計測領域を設定する領域設定手段と、
前記撮影部位情報に対応する線量計測領域を表示する領域表示手段と、
を備えることを特徴とする放射線撮影装置。
【請求項２】
前記領域設定手段は、撮影部位毎に予め設定されている複数の線量計測領域の中から、撮影条件情報に含まれる撮影部位情報に基づいて、対応する撮影部位の線量計測領域を選択することを特徴とする請求項１に記載の放射線撮影装置。
【請求項３】
前記領域表示手段は、前記撮影部位情報に対応する線量計測領域として、予め設定された位置または面積の線量計測領域と、前記設定を変更した位置または面積の線量計測領域とを表示することを特徴とする請求項１または２に記載の放射線撮影装置。
【請求項４】
前記領域表示手段は、複数の撮影部位のそれぞれに対応する複数の線量計測領域を表示することを特徴とする請求項１に記載の放射線撮影装置。
【請求項５】
前記領域表示手段は、複数の線量計測領域のそれぞれを、表示色または線種により識別可能に表示することを特徴とする請求項４に記載の放射線撮影装置。
【請求項６】
前記領域表示手段は、前記撮影部に着脱可能に構成されていることを特徴とする請求項１乃至５のいずれか1項に記載の放射線撮影装置。
【請求項７】
前記領域表示手段は、前記撮影部に対して向きを合わせるため手段と、前記撮影部の装着面内で前記線量計測領域の表示位置を合わせるための手段と、を有することを特徴とする請求項６に記載の放射線撮影装置。
【請求項８】
前記領域表示手段の少なくとも一つの端面には、前記撮影部の筐体構造との干渉を避けるための干渉回避部が形成されており、
前記干渉回避部と、前記筐体構造との向きを合わせることにより、前記領域表示手段は、前記撮影部に対して向きが合うように構成されていることを特徴とする請求項１乃至７のいずれか１項に記載の放射線撮影装置。
【請求項９】
前記領域表示手段の端面には、前記撮影部に配置されている磁石の極性と異なる極性の磁石が配置されており、
前記領域表示手段は、前記磁石の磁力により前記撮影部に装着可能に構成されていることを特徴とする請求項１乃至８のいずれか１項に記載の放射線撮影装置。
【請求項１０】
前記領域表示手段は、前記撮影部の表面に前記線量計測領域を描画することにより構成されることを特徴とする請求項１に記載の放射線撮影装置。
【請求項１１】
前記領域表示手段は、グリッドを使用する撮影の場合に、グリッドの表面またはグリッドフレームの表面に前記線量計測領域を描画することにより構成されることを特徴とする請求項１または２に記載の放射線撮影装置。
【請求項１２】
前記領域表示手段は、前記被写体の撮影部位情報に応じて前記線量の計測に使用する画素の線量計測領域の画像を、前記撮影部に対して投影表示する投影部を有することを特徴とする請求項１または２に記載の放射線撮影装置。
【請求項１３】
前記領域表示手段は、放射線を照射する放射線発生手段に装着されることを特徴とする請求項１２に記載の放射線撮影装置。
【請求項１４】
前記制御手段は、前記領域設定手段により設定された線量計測領域を示す情報に基づいて、前記線量の計測に使用する画素の画素領域を特定し、
前記特定した画素領域の画素に対する駆動制御信号に基づいて、定期的に読み出しを行う線量モニタリング駆動を指示することを特徴とする請求項１乃至１３のいずれか１項に記載の放射線撮影装置。
【請求項１５】
前記制御手段は、前記画素領域の画素により計測された線量の積算値と予め設定されている閾値との比較結果に基づいて、前記積算値が前記閾値を上回っている場合に、放射線の照射を停止するように制御することを特徴とする請求項１４に記載の放射線撮影装置。
【請求項１６】
前記放射線画像に画像処理を行う画像処理手段と、
表示手段の表示を制御する表示制御手段と、を更に備え、
前記表示制御手段は、画像処理後の画像と、前記領域設定手段により設定された線量計測領域とを重畳する表示形式で前記表示手段に表示させることを特徴とする請求項１乃至１５のいずれか１項に記載の放射線撮影装置。
【請求項１７】
被写体を透過した放射線に基づく放射線画像を生成する画素と前記放射線の線量を計測する画素とを有する撮影部と、前記計測された線量と閾値との比較により前記放射線の照射を制御する制御手段と、を有する放射線撮影装置の放射線撮影方法であって、
領域設定手段が、前記被写体の撮影部位情報に応じて前記線量の計測に使用する画素の線量計測領域を設定する工程と、
領域表示手段が、前記撮影部位情報に対応する線量計測領域を表示する工程と、を有することを特徴とする放射線撮影方法。
【請求項１８】
コンピュータに、請求項１７に記載の放射線撮影方法の各工程を実行させるためのプログラム。
【発明の詳細な説明】
【技術分野】
【０００１】
本発明は、放射線撮影装置、放射線撮影方法およびプログラムに関する。
【背景技術】
【０００２】
医用画像の分野において適正な光学濃度の画像を得ること及び線量管理のため、撮影部に入射した線量が規定量を超えた場合に自動的に放射線の照射を停止する自動露出制御（Auto Exposure Control：ＡＥＣ）という技術が広く利用されている。
【０００３】
特許文献１では、撮像素子を二次元状に配置して構成したフラットパネルディテクタ（ＦＰＤ）内に線量計測用の画素、および回路を配置することにより専用の放射線測定器を用いることなく、ＦＰＤにおいてＡＥＣ機能が実現できる技術が開示されている。
【０００４】
また、特許文献２では、線量測定用の画素領域の設定方法として、被写体の撮影部位に応じて予め決められている位置に線量測定用の画素領域を設定する固定モードと、線量測定用の画素で測定した放射線の線量分布に基づいて線量測定用の画素領域を設定する自動モードとを、状況に応じて切り替える技術が開示されている。
【先行技術文献】
【特許文献】
【０００５】
【特許文献１】特開２００２−５９０号公報
【特許文献２】特開２０１３−１９８５４８号公報
【発明の概要】
【発明が解決しようとする課題】
【０００６】
特許文献１では、ＦＰＤにおける線量測定用の画素領域を測定部位設定器によって設定する。しかしながら、測定部位設定器により設定された線量測定用の画素領域（線量計測領域）をユーザーに通知する構成は提案されていない。このため、特許文献１の構成では、ユーザーは被写体の撮影部位をＦＰＤ上のどの位置に合わせればよいか判断できない場合が生じ得る。
【０００７】
特許文献２においても、線量測定用の画素領域（線量計測領域）を予めユーザーに通知する構成は提案されていないため、例えば、固定モードで撮影を行う場合には、特許文献１と同様に被写体に対する位置合わせができない場合が生じ得る。
【０００８】
本発明は、上記の課題に鑑みてなされたものであり、ユーザーが撮影部位に対応した線量計測領域を把握でき、被写体の撮影部位と線量計測領域との位置合わせを容易に行うことが可能な放射線撮影技術を提供することを目的とする。
【課題を解決するための手段】
【０００９】
上記課題を解決するために本発明の放射線撮影装置は、以下の構成を有する。すなわち、本発明の一つの態様に係る放射線撮影装置は、被写体を透過した放射線に基づく放射線画像を生成する画素と前記放射線の線量を計測する画素とを有する撮影部と、前記計測された線量と閾値との比較により前記放射線の照射を制御する制御手段と、を有する放射線撮影装置であって、前記被写体の撮影部位情報に応じて前記線量の計測に使用する画素の線量計測領域を設定する領域設定手段と、前記撮影部位情報に対応する線量計測領域を表示する領域表示手段と、を備えることを特徴とする。
【発明の効果】
【００１０】
本発明によれば、ユーザーが撮影部位に対応した線量計測領域を把握でき、被写体の撮影部位と線量計測領域との位置合わせを容易に行うことが可能な放射線撮影技術の提供が可能になる。
【図面の簡単な説明】
【００１１】
【図１】第１実施形態に係る放射線撮影装置の概略を示す図。
【図２】第１実施形態に係る放射線撮影装置の構成を示すブロック図。
【図３】第１実施形態に係る放射線撮影装置の処理の流れを説明するフローチャート。
【図４】第１実施形態に関する線量計測領域シートの構成例を説明する図。
【図５】第１実施形態に関する線量計測領域シートの構成例を説明する図。
【図６】第１実施形態に関する線量計測領域シートの構成例を説明する図。
【図７】第１実施形態に関する撮影部位毎の線量計測領域の一例を示す図。
【図８Ａ】被写体の体格に合わせて線量計測領域の位置を調整できるように複数の線量計測領域を設定した線量計測領域シートの構成例を説明する図。
【図８Ｂ】複数の撮影部位のそれぞれに対応する複数の線量計測領域を一つのシート上にまとめた線量計測領域シートの構成例を説明する図。
【図９】第２実施形態に係る放射線撮影装置の概略を示す図。
【図１０】第２実施形態に係る放射線撮影装置の構成を示すブロック図。
【図１１】第２実施形態に係る放射線撮影装置の処理の流れを説明するフローチャート。
【発明を実施するための形態】
【００１２】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。
【００１３】
＜第１実施形態＞
第１実施形態では、撮影部位に対応する線量計測領域が表示されている領域表示部を撮影部に装着して撮影を行う放射線撮影装置の構成例を説明する。図１は第１実施形態における放射線撮影装置の概略を示す図である。第１実施形態に係る放射線撮影装置１００は、図１に示すように撮影部１０１、制御ＰＣ１０２（制御装置）、通信中継装置１０３、領域表示部１０４を有する。放射線撮影装置１００とは別に放射線発生源として放射線発生装置１１０が構成される。撮影部１０１は、放射線発生装置１１０から照射され、その後、被写体を透過した放射線信号に基づき、放射線画像データを生成する。また撮影部１０１は、放射線発生装置１１０から照射された放射線の照射線量をモニタリングする機能を更に有する。領域表示部１０４は、撮影部１０１に着脱可能に構成されている。
【００１４】
制御ＰＣ１０２はユーザーからユーザーインターフェース（ＵＩ部２０９）を介して撮影条件情報を受け取り、撮影条件情報に基づいて撮影部１０１を駆動することが可能である。また、制御ＰＣ１０２は撮影部１０１から受け取った放射線画像データをモニタ、ＰＡＣＳ（Picture Archiving and Communication Systemの略。院内画像管理システム）などに出力することが可能である。また、制御ＰＣ１０２は、撮影部１０１の撮影タイミングと放射線発生装置１１０からの放射線照射タイミングを、通信中継装置１０３を介して制御することが可能である。通信中継装置１０３は、放射線発生装置１１０と制御ＰＣ１０２との通信を中継する。
【００１５】
領域表示部１０４は撮影部位（撮影部位情報）に対応する線量計測領域を表示されており、撮影部１０１に装着されて使用される。領域表示部１０４の詳細については後述する。ユーザーは制御ＰＣ１０２のＵＩ部２０９を通じて撮影条件を入力できるほか、放射線発生装置１１０に設けられた操作盤より放射線の照射を指示することができる。放射線発生装置１１０は制御ＰＣ１０２から通信中継装置１０３を介して照射許可信号を受けとったタイミングで被写体および撮影部１０１に対して放射線を照射する。また、制御ＰＣ１０２は、計測された線量と閾値との比較により放射線の照射を制御することが可能であり、放射線発生装置１１０は制御ＰＣ１０２から通信中継装置１０３を介して照射停止信号を受け取ったタイミングで放射線照射を停止する。
【００１６】
次に図２を用いて、放射線撮影装置１００の構成を詳細に説明する。撮影部１０１は、撮影パネル２０１、撮影パネル２０１を駆動制御する駆動制御部２０４、線量計測領域情報を生成して駆動制御部２０４に出力する領域設定部２０５、線量計測用画素２０２からの線量情報に基づいて照射停止判定を行う線量判定部２０６を有する。ここで、撮影パネル２０１には、照射された放射線（入射光）に応じた放射線信号を出力する撮像素子を含む各画素がアレイ状（２次元平面の領域）に配置されている。各画素の光電変換素子は蛍光体により変換された光を電気信号である放射線信号（電荷）に変換し、各画素のキャパシタが放射線信号（電荷）の蓄積を行う。例えば、撮影パネル２０１の蛍光体としては、ヨウ化セシウム（ＣｓＩ）にタリウム（Ｔｌ）が添加されたＣｓＩ：Ｔｌやテルビウム賦活希土類硫化物系蛍光体（例えば、Ｇ２Ｏ２Ｓ:Ｔｂ）などを用いることができる。撮影パネル２０１は、被写体を透過した放射線に基づく放射線画像を生成する画素（通常画素２０３）と、放射線の線量を計測する画素（線量計測用画素２０２）とを有する。通常画素２０３は、被写体を透過した放射線信号を蓄積し放射線画像を生成する。線量計測用画素２０２は、定期的に放射線信号の読み出しを行い、照射線量をモニタリングする。撮影パネル２０１の出力部は、駆動制御部２０４の制御の下、各画素から信号の読み出しを行い、出力する。
【００１７】
通常画素２０３は放射線信号（放射線画像情報）を制御ＰＣ１０２の画像処理部２０８に対して出力する。また、線量計測用画素２０２は放射線信号（線量情報）を線量判定部２０６に出力する。ここで、通常画素２０３と線量計測用画素２０２は、それぞれ異なる信号線、ゲート線を持ち、駆動制御部２０４は、別々のタイミングで線量計測用画素２０２および通常画素２０３を駆動することができる。駆動制御部２０４から、各画素に駆動信号が供給されると、各画素の光電変換素子により変換された放射線信号（電荷）が蓄積される。また、駆動制御部２０４からの信号に従って、蓄積されている放射線信号（電荷）に基づく情報（放射線画像情報、線量情報）が別々のタイミングで各画素から出力される。
【００１８】
撮影パネル２０１における画素配置に関しては、複数の通常画素２０３で構成される撮影パネル２０１と複数の線量計測用画素２０２で構成される撮影パネル２０１とが層構造をなして配置される形態でもよいし、同じ撮影パネル２０１の２次元平面上に、線量計測用画素２０２および通常画素２０３が混在して配置される形態でも構わない。また、通常画素２０３と線量計測用画素２０２がそれぞれ別々の画素として配置されてもよいし、一つの画素の中に通常画素２０３として機能するエリアと線量計測用画素２０２として機能するエリアに分けて配置される形態でも構わない。駆動制御部２０４は、制御ＰＣ１０２内の制御部２０７から受信した撮影条件情報に基づいて生成した駆動信号を撮影パネル２０１に出力して、撮影パネル２０１を駆動させる。撮影条件情報には、例えば、撮影部位情報（胸部、腹部、腰椎など）、撮影方向（ＰＡ（後前）/ＡＰ（前後）、正面/側面）、被写体情報（体格、小児か否かなど）が含まれる。
【００１９】
撮影条件情報が制御部２０７から駆動制御部２０４に入力されると、駆動制御部２０４は撮影パネル２０１の画素（線量計測用画素２０２、通常画素２０３）を駆動するための駆動制御信号をそれぞれ生成する。駆動制御部２０４は、通常画素２０３に対して、放射線照射開始から終了まで放射線信号を蓄積し、その後蓄積した放射線信号を出力するように、通常画素２０３を駆動制御する。
【００２０】
領域設定部２０５は、被写体の撮影部位情報に応じて線量の計測に使用する画素領域（線量計測領域）を設定する。すなわち、領域設定部２０５は、制御部２０７から撮影条件情報を受け取り、この情報に基づいて予め撮影部位毎に設定されている線量計測領域情報を選択して駆動制御部２０４および制御部２０７に出力する。制御部２０７は領域設定部２０５から取得した線量計測領域情報をＵＩ部２０９へ出力する。
【００２１】
駆動制御部２０４は、領域設定部２０５から取得した線量計測領域情報に基づいて、撮影パネル２０１に配置されている線量計測用画素のうち、線量計測に使用する線量計測用画素２０２の画素領域を特定し、特定した線量計測用画素２０２の画素領域に対して、駆動制御部２０４は、線量計測用画素用の駆動制御信号に基づいて、定期的に読み出しを行う線量モニタリング駆動を指示する。そして、駆動制御部２０４は、線量計測領域内の画素に対し放射線信号を定期的に読み出し線量判定部２０６に出力するように線量計測用画素２０２を駆動制御する。
【００２２】
線量判定部２０６は線量計測用画素２０２から線量の積算値を受け取り、予め設定されている線量閾値と比較して、積算値が線量閾値を上回っている場合に制御ＰＣ１０２の制御部２０７へ放射線の照射停止判定信号を出力する。制御ＰＣ１０２は、画素領域の画素により計測された線量の積算値と予め設定されている閾値との比較結果に基づいて、積算値が閾値を上回っている場合に、放射線の照射を停止するように制御する。
【００２３】
制御ＰＣ１０２は、制御部２０７、放射線画像に画像処理を行う画像処理部２０８、ユーザーインターフェース（ＵＩ）部２０９を有する。ここで、制御部２０７は、ユーザーからＵＩ部２０９を介して入力された撮影条件情報に基づき、撮影部１０１に対し撮影条件情報を出力する。また、制御部２０７は、駆動制御部２０４から出力される駆動ステータスを受け取る。撮影パネル２０１に電源が投入された後、駆動制御部２０４は、撮影パネル２０１の出力特性をチェックして、撮影パネル２０１の出力特性が安定するまで、撮影パネル２０１の準備駆動を行う。撮影パネル２０１の出力特性が安定するまで、駆動制御部２０４は、撮影不可を示す駆動ステータスを制御部２０７に送信し、撮影パネル２０１の出力特性が安定したら、撮影可能であることを示す駆動ステータスを制御部２０７に送信する。また、制御部２０７は、放射線発生装置１１０と通信中継装置１０３を介して通信し、照射許可/停止信号を送信する。
【００２４】
画像処理部２０８は、撮影部１０１内の通常画素２０３から受け取った放射線画像情報に対してオフセット補正処理、感度補正処理、空間周波数処理、階調処理、欠陥補正処理などの画像処理を適用する。ＵＩ部２０９は、画像処理部２０８から出力される処理後の放射線画像を受け取り、モニタなどの表示装置へ出力するとともにＰＡＣＳなど院内画像管理システムのサーバへ画像を転送することが可能である。またＵＩ部２０９はユーザーから入力された撮影条件情報を制御部２０７へ出力することが可能である。また、制御部２０７は、領域設定部２０５により出力された線量計測領域情報を取得し、ＵＩ部２０９へ出力する。ＵＩ部２０９は制御部２０７から線量計測領域情報を受け取り、撮影部位に基づいた線量計測領域をモニタなどの出力装置に表示することが可能である。例えば、ＵＩ部２０９は、モニタなどの表示部の表示を制御する表示制御部として機能して、画像処理部２０８から出力された画像処理後の画像に線量計測領域情報を重畳した画像をモニタなどの出力装置に出力させることが可能である。すなわち、ＵＩ部２０９（表示制御部）は、画像処理後の画像と、領域設定部２０５により設定された線量計測領域とを重畳する表示形式で表示部に表示させることが可能である。このような出力制御（表示制御）を行うことにより、ユーザーは、出力（表示）された画像に基づいて、撮影部位に対して線量計測領域が適切に設定されたか否かを判定することが可能になる。また、同様の撮影条件で過去に撮影した画像と比較することも可能である。
【００２５】
次に図３を用いて、第１実施形態に係る放射線撮影装置１００の処理の流れを説明する。まず、ステップＳ３０１において、撮影部１０１に電源が投入される。この時、撮影パネル２０１にも同様に電源が投入される。制御ＰＣ１０２の電源はこの時オンである必要がある。駆動制御部２０４は制御部２０７の制御に基づき撮影を開始するための準備駆動を開始する。この準備駆動は撮影パネル２０１の出力特性が安定するまで継続される。制御部２０７は撮影パネル２０１の出力特性が安定するまで放射線撮影を開始できないように撮影部１０１、制御ＰＣ１０２、および通信中継装置１０３を制御する。
【００２６】
ステップＳ３０２において、ユーザーはＵＩ部２０９を介して撮影プロトコルを選択する。撮影プロトコルとは、制御ＰＣ１０２にインストールされた撮影アプリケーションで、予め撮影条件ごとに用意された放射線撮影装置１００に専用の撮影アプリケーションのことである。撮影プロトコルは、例えば、撮影部位、撮影方向（ＰＡ（後前）/ＡＰ（前後）、正面/側面）、被写体情報（体格、小児か否か）などの撮影条件情報を含んでいる。次にＵＩ部２０９から撮影条件情報が制御部２０７を介して駆動制御部２０４および領域設定部２０５へ出力される。
【００２７】
ステップＳ３０３において、ユーザーはステップＳ３０２で選択された撮影部位に対応する線量計測領域が表面に記載されたシート（以下、線量計測領域シートと呼ぶ）を領域表示部１０４として撮影部１０１の表面に装着する。例えば、撮影部位が胸部正面である場合、領域表示部１０４（線量計測領域シート）は、例えば、図４のような形状をなしている。領域表示部１０４（線量計測領域シート）の表面には、胸部正面撮影の関心領域である肺野に相当する位置に枠４０２が記載されている。領域表示部１０４（線量計測領域シート）は撮影部１０１の表面に記載された情報（有効画素領域を示す枠４４０など）を装着時でも確認できるように光を透過可能な部材で形成されている。
【００２８】
撮影部１０１の表面と接する領域表示部１０４（線量計測領域シート）の裏面には微粘着の粘着剤を塗布して、撮影部１０１の表面に線量計測領域シートを繰り返し装着できるようにすることが可能である。また、領域表示部１０４（線量計測領域シート）は、撮影部１０１に対して向きを合わせるため構成と、撮影部１０１の装着面内で線量計測領域の表示位置を合わせるための構成と、を有する。領域表示部１０４（線量計測領域シート）の外周部の内側には、位置合わせ用の枠４２０と、領域表示部１０４（線量計測領域シート）の向き合わせの方向を示す識別部４３０（識別マーク）とが形成されている。また、撮影部１０１の表面には、有効画素領域を示す枠４４０と、線量計測領域シートを装着する際の向き合わせの方向を示す識別部４５０（識別マーク）とが形成されている。領域表示部１０４（線量計測領域シート）を、撮影部１０１に装着する際に、領域表示部１０４（線量計測領域シート）の識別部４３０（識別マーク）の方向と、撮影部１０１の識別部４５０（識別マーク）の方向とが合うようにして、両者の向きを合わせることができる。
【００２９】
そして、領域表示部１０４（線量計測領域シート）の位置合わせ用の枠４２０と、撮影部１０１の有効画素領域を示す枠４４０とを合わせるようにして、撮影部１０１に対する領域表示部１０４（線量計測領域シート）の位置を合わせることができる。図４に示す構成によれば、領域表示部１０４（線量計測領域シート）の向きと位置を合わせた状態で、領域表示部１０４（線量計測領域シート）を撮影部１０１に装着することができる。
【００３０】
尚、領域表示部１０４（線量計測領域シート）は図４で示した構成に限定されず、例えば、図５に示すように、線量計測領域シートの端面を、可撓制性を有する弾性材料で構成し、撮影部１０１の側面に被せるようにして、線量計測領域シートを撮影部１０１に装着することも可能である。図５（ａ）は、撮影部１０１の表面を紙面の上方から見た図であり、図５（ｂ）は、撮影部１０１の側面方向から見た図である。図５の線量計測領域シートにおいて、図４に示す構成と同一の構成に同一の参照番号を付している。領域表示部１０４（線量計測領域シート）の少なくとも一つの端面には、撮影部１０１の筐体構造（電源ボタンまたは撮影部１０１に接続する配線部等）との干渉を避けるための干渉回避部が形成されており、干渉回避部と、筐体構造との向きを合わせることにより、領域表示部１０４（線量計測領域シート）は、撮影部１０１に対して向きが合うように構成されている。例えば、図５に示すように、線量計測領域シートの少なくとも一つの端面には、撮影部１０１の電源ボタン５０１、撮影部１０１に接続する配線部（コネクタ等のワイヤリングユニット部５０２）等と干渉を避けるための干渉回避部（例えば、開口部、切欠き部等）が形成されている。領域表示部１０４（線量計測領域シート）を、撮影部１０１に装着する際に、線量計測領域シートの干渉回避部と、撮影部１０１の電源ボタン５０１、ワイヤリングユニット部５０２等とが合うようにして、両者の向きを合わせることができる。そして、線量計測領域シートの位置合わせ用の枠４２０と、撮影部１０１の有効画素領域を示す枠４４０とを合わせるようにして、撮影部１０１に対する線量計測領域シートの位置を合わせることができる。図５に示す構成によれば、領域表示部１０４（線量計測領域シート）の向きと位置を合わせた状態で、領域表示部１０４（線量計測領域シート）を撮影部１０１に装着することができる。
【００３１】
尚、領域表示部１０４（線量計測領域シート）は図４、図５で示した構成に限定されず、例えば、図６に示すように、撮影部１０１の内部に磁石６０１を配置し、線量計測領域シートの端面に、磁石６０１の極性と異なる極性の磁石６０２を配置し、磁石６０１、６０２間に生じる磁力により線量計測領域シートを撮影部１０１に装着することも可能である。領域表示部１０４の端面には、撮影部１０１に配置されている磁石６０１の極性と異なる極性の磁石６０２が配置されており、領域表示部１０４は、磁石の磁力により撮影部１０１に装着可能に構成されている。図６（ａ）は、撮影部１０１の表面を紙面の上方から見た図であり、図６（ｂ）は、撮影部１０１の側面方向から見た図である。図６の線量計測領域シートにおいて、図４に示す構成と同一の構成に同一の参照番号を付している。図６に示す線量計測領域シートにおいて、例えば、図４で示したような、向き合わせの方向を示す識別情報（識別マーク）を線量計測領域シートおよび撮影部１０１に形成して、識別情報（識別マーク）が示す方向が合うようにして、両者の向きを合わせることが可能である。また、図４で示したような線量計測領域シートの位置合わせ用の枠４２０と、撮影部１０１の有効画素領域を示す枠４４０とを合わせるようにして、撮影部１０１に対する線量計測領域シートの位置を合わせることも可能である。
【００３２】
また、向きを合わせるための構成として、図５で示したような、撮影部１０１の電源ボタン５０１、コネクタ等のワイヤリングユニット部５０２等と干渉を避けるための干渉回避部を線量計測領域シートの端面に形成して、線量計測領域シートと撮影部１０１との向きを合わせることも可能である。図４〜図６で説明したように、領域表示部１０４（線量計測領域シート）を構成することで、撮影部１０１に対する向きを合わせ、かつ、撮影部１０１の有効画素領域に対応した位置に領域表示部１０４（線量計測領域シート）を装着することが可能になる。例えば、線量計測領域シートが意図しない方向で撮影部１０１に装着された場合には、線量計測領域シートの干渉回避部（図５）が撮影部１０１の電源ボタン５０１等と一致しないため装着方向のミスをユーザーに通知することができる。
【００３３】
図４〜６に示した領域表示部１０４（線量計測領域シート）では、胸部正面撮影の関心領域である肺野に相当する位置に枠４０２（線量計測領域）が設定されているが、線量計測領域の設定は、この例に限定されるものではなく、線量計測領域は撮影部位毎に設定可能である。例えば、図７に示すような複数の撮影部位毎に線量計測領域を設定し、撮影部位に応じて対応する線量計測領域を選択することが可能である。図７は、撮影部位毎の線量計測領域の一例を示す図であり、図７（ａ）は、胸部正面撮影における線量計測領域を示し、図７（ｂ）は、腹部撮影における線量計測領域を示し、図７（ｃ）は、腰椎正面撮影における線量計測領域を示している。図７（ｄ）は、骨などを対角線上に撮影する場合の線量計測領域を示している。また、図７（ｅ）は、胸部側面撮影における線量計測領域を示し、図７（ｆ）は、手の撮影における線量計測領域を示し、図７（ｇ）は、骨塩量測定（ＤＩＰ法）での撮影における線量計測領域を示している。図７（ａ）〜（ｃ）、（ｅ）〜（ｇ）では、被写体を撮影した撮影部位と、線量計測領域との相対的な位置関係をわかり易く示すため、撮影画像が線量計測領域と共に図示されている。領域設定部２０５は、撮影部位毎に予め設定されている複数の線量計測領域の中から、撮影条件情報に含まれる撮影部位情報に基づいて、対応する撮影部位の線量計測領域を選択可能である。
【００３４】
領域設定部２０５は、撮影部位情報に基づいて、対応する部位の線量計測領域を、以下のように選択する。すなわち、図７（ａ）に示すように、胸部正面撮影では関心領域である肺野を中心とした２エリアを線量計測領域として選択することができる。また、図７（ｅ）に示すように、胸部側面撮影では肺野に対応する１エリアを線量計測領域として選択することができる。また、例えば、図７（ｂ）に示す腹部撮影、図７（ｆ）に示す手の撮影については有効画素領域の中心付近のエリアを線量計測領域として選択することができる。図７（ｃ）に示す腰椎正面撮影では腰椎に沿った細長い領域の３エリアを線量計測領域として選択することができる。図７（ｇ）に示す骨塩定量測定（ＤＩＰ法）での撮影では、左右の手に対応する２エリアを線量計測領域として選択することができる。更に、図７（ｄ）に示すように、整形用に骨などの長い被写体を撮影する場合に有効画素領域上の対角方向に複数エリアを配置するなどの線量計測領域が選択設定される。尚、図７に示す線量計測領域は、例示的なものであり、撮影部位に合わせて図７に示した以外の領域を設定することは可能である。
【００３５】
線量計測領域は、被写体の体格に合わせてその領域の位置を調整できるように、線量計測領域シート上に複数の線量計測領域を設定してもよい。図８Ａは、被写体の体格に合わせて線量計測領域の位置を調整できるように複数の線量計測領域を設定した線量計測領域シートの構成例を説明する図である。領域表示部１０４は、撮影部位（撮影部位情報）に対応する線量計測領域として、予め設定された位置または面積の線量計測領域と、設定を変更した位置または面積の線量計測領域とを表示する。例えば、胸部正面撮影の場合、図８Ａに示すように関心領域である肺野の間隔に合わせるように体格別に、線量計測領域シート上に線量計測領域を複数設定してもよい。図８Ａにおいて、線量計測領域８０１は、被写体における肺野の間隔が標準の場合の線量計測領域の設定を示し、線量計測領域８０２は、被写体における肺野の間隔が広い場合の線量計測領域の設定を示している。また、線量計測領域８０３は、被写体における肺野の間隔が狭い場合の線量計測領域の設定を示している。ユーザーは被写体の体格に合わせて線量計測領域シート上に記載された体格別の線量計測用域表示に合わせて被写体の位置合わせを行う。例えば、体格の大きい被写体を撮影する場合、ユーザーは、肺野の間隔が広い場合の線量計測領域８０２を選択することができる。また、体格の小さい被写体を撮影する場合、ユーザーは、肺野の間隔が狭い場合の線量計測領域８０３を選択することができる。これにより、ユーザーは、撮影部位に対応した線量計測領域を把握でき、被写体の撮影部位と線量計測領域との位置合わせを容易に行うことが可能になる。この時、ユーザーは、ＵＩ部２０９上に表示された撮影アプリケーション画面のアイコン等で、被写体の体格に合わせた線量計測領域の位置を選択（微調整）することが可能である。ＵＩ部２０９は、線量計測領域の位置の選択結果（例えば、図８Ａの８０２、または８０３）を撮影条件情報とともに、制御部２０７を介して駆動制御部２０４および領域設定部２０５に出力する。
【００３６】
領域設定部２０５は、被写体の撮影部位情報に応じて線量の計測に使用する画素領域（線量計測領域）を設定する。すなわち、領域設定部２０５は、制御部２０７から撮影条件情報および線量計測領域の位置の選択結果を受け取り、撮影条件情報に基づいて予め撮影部位毎に設定されている線量計測領域情報を選択する。そして、領域設定部２０５は、線量計測領域の位置の選択結果に基づいて線量計測の位置を調整した線量計測領域情報を駆動制御部２０４に出力する。
【００３７】
駆動制御部２０４は、位置が調整された線量計測領域情報に基づいて、撮影パネル２０１に配置されている線量計測用画素のうち、線量計測に使用する線量計測用画素２０２の画素領域を特定し、特定した線量計測用画素２０２の画素領域に対して、駆動制御部２０４は、線量計測用画素用の駆動制御信号に基づいて、定期的に読み出しを行う線量モニタリング駆動を指示する。そして、駆動制御部２０４は、線量計測領域内の画素に対し放射線信号を定期的に読み出し線量判定部２０６に出力するように線量計測用画素２０２を駆動制御する。これにより、被写体の体格に基づいた位置合わせの結果に対応して、線量計測領域の位置を調整して撮影することが可能になる。
【００３８】
領域表示部１０４（線量計測領域シート）は、図４〜図６で示したように撮影部位毎に設定される線量計測領域毎に作成してもよいし、複数の撮影部位のそれぞれに対応する複数の線量計測領域を表示するようにしてもよい。例えば、図８Ｂに示すように複数の線量計測領域を一つの領域表示部１０４（線量計測領域シート）に示してもよい。図８Ｂは、複数の撮影部位のそれぞれに対応する複数の線量計測領域を一つのシート上にまとめた線量計測領域シートの構成例を説明する図であり、撮影部位として、（１）胸部正面、（２）腹部正面、（３）腰椎正面、（４）胸部側面、を撮影する場合、各撮影部位に対応する複数の線量計測領域が一つの線量計測領域シートに示されている。ユーザーが撮影部位毎に設定される線量計測領域を識別できるようにするために、それぞれの線量計測領域は、例えば、線の色や線種により識別できるようにしてもよい。すなわち、領域表示部１０４（線量計測領域シート）は、複数の線量計測領域のそれぞれを、表示色または線種により識別可能に表示することが可能である。
【００３９】
撮影部位に対応した線量計測領域をユーザーに示す構成として、例えば、撮影部１０１の表面に、図４〜図６、図８Ａ、図８Ｂで示したような線量計測領域を直接描画する形態や、さらにグリッドを使用する撮影の場合には、グリッド表面に線量計測領域を描画する形態、もしくはグリッドフレーム表面に線量計測領域を描画する形態でも構わない。領域表示部１０４は、撮影部１０１の表面に線量計測領域を描画することにより構成することが可能である。また、領域表示部１０４は、グリッドを使用する撮影の場合に、グリッドの表面またはグリッドフレームの表面に線量計測領域を描画することにより構成することが可能である。そして、線量計測領域を描画したグリッドやグリッドフレームを撮影部１０１に装着すればよい。
【００４０】
説明を図３に戻し、ステップＳ３０４において、ユーザーは、放射線発生装置１１０、線量計測領域シートが装着された撮影部１０１の配置、および被写体の位置合わせを行う。ユーザーは撮影部１０１上に装着された線量計測領域シートに記載された線量計測領域に被写体の関心領域の位置を合わせる。
【００４１】
ステップＳ３０５において、ユーザーは放射線発生装置１１０の操作盤で照射条件を入力した後、照射ボタンを押下して被写体および撮影部１０１に対して放射線の照射を開始する。制御部２０７は、撮影部１０１の駆動制御部２０４から駆動ステータスを取得し、撮影可能であることを示す駆動ステータスであることを確認する。制御部２０７は、駆動制御部２０４から撮影可能であることを示す駆動ステータスを受信すると、その後、制御部２０７は、駆動制御部２０４に放射線信号を蓄積する駆動の開始を指示するとともに、通信中継装置１０３を介して放射線発生装置１１０に対して放射線の照射許可信号を送り放射線の照射を許可する。
【００４２】
撮影部位情報を含む撮影条件情報が制御部２０７から領域設定部２０５に入力されると、領域設定部２０５は、予め記憶されている撮影部位情報に対応する線量計測領域情報を選択して駆動制御部２０４に出力する。
【００４３】
撮影条件情報が制御部２０７から駆動制御部２０４に入力されると、駆動制御部２０４は撮影パネル２０１の画素（線量計測用画素２０２、通常画素２０３）を駆動するための駆動制御信号をそれぞれ生成する。駆動制御部２０４は、通常画素用の駆動制御信号に基づいて、通常画素２０３に対して放射線信号の蓄積を指示する。また、駆動制御部２０４は、領域設定部２０５により設定された線量計測領域を示す情報（線量計測領域情報）に基づいて、線量の計測に使用する画素の画素領域を特定し、特定した画素領域の画素に対する駆動制御信号に基づいて、定期的に読み出しを行う線量モニタリング駆動を指示する。すなわち、駆動制御部２０４は、領域設定部２０５から取得した線量計測領域情報に基づいて、撮影パネル２０１に配置されている線量計測用画素のうち、線量計測に使用する線量計測用画素２０２の画素領域を特定し、特定した線量計測用画素２０２の画素領域に対して、駆動制御部２０４は、線量計測用画素用の駆動制御信号に基づいて、定期的に読み出しを行う線量モニタリング駆動を指示する。そして、駆動制御部２０４は、線量計測領域内の画素に対し放射線信号を定期的に読み出し線量判定部２０６に出力するように線量計測用画素２０２を駆動制御する。駆動制御部２０４の駆動制御により、線量計測用画素２０２は線量情報を線量判定部２０６へ定期的に出力する。
【００４４】
ステップＳ３０６において、線量判定部２０６は、線量計測用画素２０２から定期的に出力される線量情報を蓄積し、蓄積線量と予め設定された撮影部位毎の線量閾値とを比較する。蓄積線量が線量閾値未満の場合（Ｓ３０６−ＮＯ）、線量判定部２０６は、ステップＳ３０６における比較処理を継続して行う。一方、蓄積線量が線量閾値以上となった場合、すなわち、蓄積線量が線量閾値と一致、または、蓄積線量が線量閾値を上回った場合に（Ｓ３０６−ＹＥＳ）、線量判定部２０６は、制御部２０７に対し放射線の照射停止判定を出力する。
【００４５】
ステップＳ３０７において、制御部２０７は線量判定部２０６から照射停止判定信号を取得すると、通信中継装置１０３を介して放射線発生装置１１０に対して放射線照射停止信号を出力する。放射線発生装置１１０は、通信中継装置１０３から放射線照射停止信号を受け取り次第、放射線照射を停止する。また、制御部２０７は、駆動制御部２０４に対して通常画素２０３の蓄積駆動の停止および線量計測画素の線量モニタリング駆動の停止を指示する。駆動制御部２０４は、制御部２０７から駆動停止指示を受け取った後、通常画素２０３の蓄積駆動を停止および線量計測画素の線量モニタリング駆動を停止するように制御を行う。
【００４６】
ステップＳ３０８において、通常画素２０３は蓄積されている放射線信号（電荷）に基づく放射線画像情報を制御ＰＣ１０２の画像処理部２０８へ出力する。画像処理部２０８は取得した放射線画像情報に対してオフセット補正処理、感度補正処理、空間周波数処理、階調処理、欠陥補正処理など画像処理を施し、ＵＩ部２０９に画像処理後の画像（処理後画像）を出力する。この時、撮影の合否判定を直ちに行うことを目的として、画像処理レベルに応じた段階表示（プレビュー画像表示の後、本画像表示するなど）を行ってもよい。制御部２０７は領域設定部２０５より線量計測領域情報を取得し、ＵＩ部２０９に出力する。ＵＩ部２０９は、表示制御部として機能して、制御部２０７から取得した線量計測領域情報と、画像処理後の画像（処理後画像）とを、重畳する表示形式で、モニタなどの出力装置に出力（表示）させることができる。これにより、ユーザーは、被写体の撮影部位と線量計測領域との位置合わせ結果を確認することが可能になる。
【００４７】
ステップＳ３０９において、ユーザーはモニタなどの出力装置を介して、撮影部位の関心領域、もしくは意図した領域に線量計測領域が設定されていることを確認する。ユーザーは、ＵＩ部２０９の出力制御（表示制御）の下、モニタなどの出力装置に表示されたプレビュー画像、もしくは画像処理後の画像（処理後画像）を確認し、関心領域が意図したコントラストで撮影されていることを確認する。また、ユーザーは、ＵＩ部２０９を介して画像処理パラメータを調整して、放射線画像情報に対して所望の画像処理が適用されるように調整することが可能である。線量計測領域の設定および、画像処理後の画像（処理後画像）に問題ない場合（Ｓ３０９−ＹＥＳ）はステップＳ３１０へと移行し撮影を終了する。この時、ＵＩ部２０９は、画像処理後の画像（処理後画像）をＰＡＣＳに転送する。線量計測領域の設定、または放射線画像に問題があり、意図した画像が得られなかった場合（Ｓ３０２−ＮＯ）、処理はステップＳ３０２に戻され、再撮影を行う。
【００４８】
（第２実施形態）
第２実施形態では、撮影部位に対応する線量計測領域が表示されている領域表示部を放射線発生装置に装着して撮影を行う放射線撮影装置の構成例を説明する。図９は第２実施形態における放射線撮影装置の概略を示す図である。第２実施形態に係る放射線撮影装置９００は、図９に示すように撮影部１０１、制御ＰＣ９０２（制御装置）、通信中継装置１０３を有する。また、放射線撮影装置９００とは別に放射線発生源として放射線発生装置１１０が構成されており、領域表示部９０４は、放射線を照射する放射線発生装置１１０に装着されている。第１実施形態と同様の構成については、同一の参照番号を付している。
【００４９】
次に図１０を用いて、第２実施形態に係る放射線撮影装置９００の構成を詳細に説明する。図１０のブロック図において、第１実施形態と同様の構成については、同一の参照番号を付し、重複をさけるため説明を省略する。放射線撮影装置９００の構成は第１実施形態の放射線撮影装置１００とほぼ同様の構成であるが、以下の点で第１実施形態の構成と相違する。本実施形態では、領域表示部９０４が撮影部１０１ではなく、放射線を照射する放射線発生装置１１０に装着される。また、制御ＰＣ９０２の制御部１００７は、領域表示部９０４へ撮影条件情報を出力する。第１実施形態の放射線撮影装置１００では、制御部２０７は、撮影条件情報を駆動制御部２０４および領域設定部２０５に出力するように構成されていたが、本実施形態の放射線撮影装置９００では、制御部１００７は、撮影条件情報を駆動制御部２０４および領域設定部２０５および領域表示部９０４に出力するように構成されている。領域表示部９０４は、例えば、線量計測領域の画像を投影するプロジェクタ装置（投影装置）であって、撮影部１０１または被写体表面に対して線量計測領域の画像を投影する機能を有する。
【００５０】
領域表示部９０４の記憶部には、例えば、図４〜図６、図７、図８Ａ、図８Ｂに示したような線量計測領域が被写体の撮影部位ごとに設定されており、領域表示部９０４は、制御部１００７から送信された撮影条件情報から撮影部位情報を取得し、撮影部位に対応する線量計測領域を予め記憶部に記憶されている線量計測領域の中から選択することが可能である。選択された線量計測領域は、領域表示部９０４の投影部に設定される。
【００５１】
領域表示部９０４は、被写体の撮影部位情報に応じて線量の計測に使用する画素の線量計測領域の画像を、撮影部に対して投影表示する投影部を有する。領域表示部９０４の投影部は、領域表示部９０４の外部に配置された投影面（例えば、撮影部１０１または被写体表面など）に、選択された線量計測領域に基づく投影画像を投影する。また、領域表示部９０４は、例えば、投影画像の投射距離に応じた焦点距離を調整可能なフォーカス調整部を有する。領域表示部９０４の構成により、撮影部１０１および被写体表面に対して、被写体の撮影部位に対応した線量計測領域の画像を投影することができる。
【００５２】
次に図１１を用いて、第２実施形態に係る放射線撮影装置９００の処理の流れを説明する。以下の説明では、第１実施形態で説明した図３の処理フローと相違する処理ステップについて説明し、図３の処理フローと同一の処理については、同一のステップ番号を付して説明を省略する。
【００５３】
ステップＳ１１０２において、ユーザーはＵＩ部１００９を介して撮影プロトコルを選択する。撮影プロトコルとは、制御ＰＣ１０２にインストールされた撮影アプリケーションであり、撮影プロトコルは、例えば、撮影部位情報、撮影方向情報、被写体情報などの撮影条件情報を含む。ＵＩ部１００９を介して撮影プロトコルが選択されると、ＵＩ部１００９から撮影プロトコルに含まれる撮影条件情報が制御部１００７を介して駆動制御部２０４および領域設定部２０５および領域表示部９０４へ出力される。
【００５４】
ステップＳ１１０３において、放射線発生装置１１０に装着された領域表示部９０４は、撮影条件情報から撮影部位情報を取得し、撮影部位に対応する線量計測領域を予め領域表示部９０４の記憶部に記憶されている線量計測領域の中から選択して、撮影部１０１および被写体に対して線量計測領域を投影する。
【００５５】
ステップＳ１１０４において、ユーザーは領域表示部９０４から投影された線量計測領域と被写体の関心領域とが一致するように被写体の位置合わせを行う。この時、被写体の体格に合わせて線量計測領域の位置を調整するため、ユーザーがＵＩ部１００９上の撮影アプリケーション画面のアイコン等から体格に合わせた線量計測領域の位置を選択（微調整）できるようにしてもよい。ＵＩ部１００９上の撮影アプリケーション画面のアイコン等により、被写体の体格に合わせた線量計測領域が選択されると、ＵＩ部２０９は、線量計測領域の位置の選択結果を撮影条件情報とともに、駆動制御部２０４および領域設定部２０５および領域表示部９０４に出力する。領域表示部９０４は、線量計測領域の位置の選択結果に基づいて、投影する線量計測領域の表示位置を変更することが可能である。また、領域設定部２０５は、制御部２０７から撮影条件情報および線量計測領域の位置の選択結果を受け取り、撮影条件情報に基づいて予め撮影部位毎に設定されている線量計測領域情報を選択する。そして、領域設定部２０５は、線量計測領域の位置の選択結果に基づいて線量計測の位置を調整した線量計測領域情報を駆動制御部２０４に出力する。
【００５６】
駆動制御部２０４は、位置が調整された線量計測領域情報に基づいて、撮影パネル２０１に配置されている線量計測用画素のうち、線量計測に使用する線量計測用画素２０２の画素領域を特定し、特定した線量計測用画素２０２の画素領域に対して、駆動制御部２０４は、線量計測用画素用の駆動制御信号に基づいて、定期的に読み出しを行う線量モニタリング駆動を指示する。これにより、被写体の体格に基づいた位置合わせの結果に対応して、線量計測領域の位置を調整して撮影することが可能になる。ステップＳ３０５以降の処理フローは第１実施形態の図３の処理と同様である。
【００５７】
第１および第２実施形態によれば、ユーザーは、撮影部位に対応した線量計測領域を把握でき、被写体の撮影部位と線量計測領域との位置合わせを容易に行うことが可能になる。
【００５８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５９】
１００：放射線撮影装置、１０１：撮影部、１０２：制御ＰＣ、１０３：通信中継装置、１０４：領域表示部、１１０：放射線発生装置
【図１】
2018050828.tif 000003
【図２】
2018050828.tif 000004
【図３】
2018050828.tif 000005
【図４】
2018050828.tif 000006
【図５】
2018050828.tif 000007
【図６】
2018050828.tif 000008
【図７】
2018050828.tif 000009
【図８Ａ】
2018050828.tif 000010
【図８Ｂ】
2018050828.tif 000011
【図９】
2018050828.tif 000012
【図１０】
2018050828.tif 000013
【図１１】
2018050828.tif 000014